(57)【要約】【課題】毎使用時ごとに別の光学系の設定過程を行わずに、常に鮮明な２つの投射型映像をディスプレイできるマルチメディア再生装置を提供する。【解決手段】本発明は、２つの投射型映像を提供するマルチメディア再生装置に関する。２つの投射型映像を提供するマルチメディア再生装置は、第１の投射型映像をディスプレイさせる第１の投射部と、第２の投射型映像をディスプレイさせる第２の投射部と、を具備する。前記第１の投射部は、第１の投射部の動作を制御してディスプレイしようとする第１の投射型映像に対する映像信号を提供する第１の駆動部と、第１の光源部と、前記第１の投射型映像に対する映像信号に応じて前記第１の光源部から提供される光を変調して第１の投射型映像に出力する第１の光変調素子と、前記第１の光変調素子から出力される映像を拡大して投射する第１の投射レンズ部と、を具備する。第１の投射部と第２の投射部とは、同じ構成からなる。【選択図】図１
2010519570.tif 000002
【特許請求の範囲】
【請求項１】
２つの投射型映像をディスプレイできるマルチメディア再生装置において、前記マルチメディア再生装置は、
第１の投射型映像をディスプレイさせる第１の投射部と、
第２の投射型映像をディスプレイさせる第２の投射部と、を具備し、
前記第１の投射部は、
第１の投射部の動作を制御してディスプレイしようとする第１の投射型映像に対する映像信号を提供する第１の駆動部と、
第１の光源部と、
前記第１の投射型映像に対する映像信号に応じて前記光源部から提供される光を変調して第１の投射型映像に出力する第１の光変調素子と、
前記第１の光変調素子から出力される映像を拡大して投射する第１の投射レンズ部と、を具備し、
前記第２の投射部は、
第２の投射部の動作を制御してディスプレイしようとする第２の投射型映像に対する映像信号を提供する第２の駆動部と、
第２の光源部と、
前記第２の投射型映像に対する映像信号に応じて前記光源部から提供される光を変調して第２の投射型映像に出力する第２の光変調素子と、
前記第２の光変調素子から出力される映像を拡大して投射する第２の投射レンズ部と、を具備し、
異なる２つの投射型映像を提供するマルチメディア再生装置。
【請求項２】
前記第１及び第２の投射レンズ部は、前記マルチメディア再生装置が設けられた底面から延びる既設定された位置に映像が投射されるように、焦点距離が初期設定されることを特徴とする請求項１に記載の２つの投射型映像を提供するマルチメディア再生装置。
【請求項３】
前記第１及び第２の光変調素子は、ＬＣＤパネル、ＤＭＤ素子、ＧＬＶ素子、ＬＣｏＳのいずれかが選択的に使われることを特徴とする請求項１に記載の２つの投射型映像を提供するマルチメディア再生装置。
【請求項４】
前記マルチメディア再生装置は、映像がディスプレイされるべき領域の色相を感知するスクリーン感知部を更に具備し、
前記第１及び第２の駆動部は、前記スクリーン感知部を利用して感知された底面の色相に対する補色を検出し、前記第１及び第２の光源部の光源のうち前記補色に対応する光源の明るさを増加させることを特徴とする請求項１から３のいずれか１項に記載の２つの投射型映像を提供するマルチメディア再生装置。
【請求項５】
前記マルチメディア再生装置は、映像がディスプレイされるべき領域の色相を感知するスクリーン感知部を更に具備し、
前記第１及び第２の駆動部は、前記スクリーン感知部を利用して感知された底面の色相に対する補色を検出し、ディスプレイすべき映像データのうち前記補色に対応する映像データを増加させることを特徴とする請求項１から３のいずれか１項に記載の２つの投射型映像を提供するマルチメディア再生装置。
【請求項６】
全動作を制御し、ディスプレイしようとする第１及び第２の映像信号を提供する駆動部と、
単一の光源部と、
前記光源部から提供される光を第１の偏光波及び第２の偏光波に分離して提供する偏光ビーム分離器と、
前記偏光ビーム分離器から提供される第１の偏光波が進行する経路に配置され、前記駆動部から提供される第１の映像信号に応じて前記第１の偏光波を変調して第１の映像を提供する第１の光変調素子と、
前記第１の光変調素子から提供される第１の映像を拡大投射させる第１の投射レンズ部と、
前記偏光ビーム分離器から提供される第２の偏光波が進行する経路に配置され、前記駆動部から提供される第２の映像信号に応じて前記第２の偏光波を変調して第２の映像を提供する第２の光変調素子と、
前記第２の光変調素子から提供される第２の映像を拡大投射する第２の投射レンズ部と、
を具備し、単一の光源部を利用して第１の映像及び第２の映像を同時に提供することによってデュアルモードで動作することができ、前記第１及び第２の投射レンズ部から投射される映像は、既設定された第１及び第２の位置に各々結像されることを特徴とする２つの投射型映像を提供するマルチメディア再生装置。
【請求項７】
前記第１及び第２の投射レンズ部は、前記マルチメディア再生装置が設けられた底面から延びる既設定された第１及び第２の位置の各々に第１及び第２の映像が投射されるように、焦点距離が初期設定されることを特徴とする請求項６に記載の２つの投射型映像を提供するマルチメディア再生装置。
【請求項８】
前記光源部のランプ部は、赤色Ｒ、青色Ｂ、緑色ＧのＬＥＤからなるＬＥＤアレイからなることを特徴とする請求項６に記載の２つの投射型映像を提供するマルチメディア再生装置。
【請求項９】
前記第１の光変調素子は、透過型光変調素子又は反射型光変調素子であることを特徴とする請求項６に記載の２つの投射型映像を提供するマルチメディア再生装置。
【請求項１０】
前記第２の光変調素子は、透過型光変調素子又は反射型光変調素子であることを特徴とする請求項６に記載の２つの投射型映像を提供するマルチメディア再生装置。
【請求項１１】
前記マルチメディア再生装置は、映像がディスプレイされるべき領域の色相を感知するスクリーン感知部を更に具備し、
前記駆動部は、前記スクリーン感知部を利用して感知された底面の色相に対する補色を検出し、前記光源部の光源のうち前記補色に対応する光源の明るさを増加させることを特徴とする請求項６から１０のいずれか１項に記載の２つの投射型映像を提供するマルチメディア再生装置。
【請求項１２】
前記マルチメディア再生装置は、映像がディスプレイされるべき領域の色相を感知するスクリーン感知部を更に具備し、
前記駆動部は、前記スクリーン感知部を利用して感知された底面の色相に対する補色を検出し、ディスプレイすべき映像データのうち前記補色に対応する映像データを増加させることを特徴とする請求項６から１０のいずれか１項に記載の２つの投射型映像を提供するマルチメディア再生装置。
【発明の詳細な説明】
【技術分野】
【０００１】
本発明は、２つの投射型映像を提供するマルチメディア再生装置に関し、より具体的には、毎使用時ごとに光学系に対する別の設定過程を行わなくても、常に鮮明な映像をディスプレイできる２つの投射型映像を提供するマルチメディア再生装置に関する。
【背景技術】
【０００２】
移動通信端末の性能及び機能が向上するに従って、これに合う多様な形態のマルチメディアコンテンツらが提供されている。このような現実に合わせて、移動通信端末の機能が強化されて、高画質のディスプレイを提供するためにＬＣＤのようなデジタルディスプレイ装置が使われているが、このようなディスプレイ方式は、映像の大きさに対して制限を受けるという短所がある。このような短所を解決するために、移動通信端末のディスプレイ・ウインドウの大きさを増加させねばならないのに、これは、移動通信端末の大きさを増加させるという問題点を引き起こしてしまう。そして、このような問題点は、移動通信端末の小型化、軽量化の趨勢に反するだけでなく、消費電力を増加させてしまうという問題点も発生するようになる。
【０００３】
このような問題点を解決するために、移動通信端末に投射機能を追加する方案らが提案された。提案された方案のうち、韓国特許出願番号第１０−２０００−５６８０７号は、“投射機能を備えた無線端末装置及びそのディスプレイ方法”に関するものであり、韓国実用登録番号２０−２６３３３６号は、“液晶プロジェクターと一組になった映像携帯電話装置”に関するものである。上述した従来の方案らは、移動通信端末に投射機能のみを追加した技術思想のみを提案したもので、走査画面の大きさ及び解像度を制御するのに多くの不都合がある。一方、韓国特許出願番号第１０−２００３−９７０８７号は、“プロジェクター映像を多様な方向に走査する移動通信端末”であって、プロジェクターモジュールを移動通信端末に突出させて回転させることで、多様な方向からプロジェクター映像を走査できるようにした移動通信端末を提案した。
【０００４】
ところが、上述した従来の方案らは、いずれも動通信端末とスクリーンとの間の距離が固定されていなく、状況に応じて常に変わるので、映像を投射してディスプレイさせる度に移動通信端末とスクリーンとの間の距離によって映像の焦点を合わせるために、光学系の設定を変えなければならないという面倒が発生する。特に、移動通信端末の投射モジュールを利用して、毎度スクリーン上の映像に対する焦点を正確に調整するのは、非常に難しい作業でもある。
【０００５】
これにより、本出願人は、使用者が、毎使用時ごとに光学系に対する別の設定作業をしなくても、常に鮮明な２つの投射型映像を提供できるマルチメディア再生装置を提案しようとする。
【発明の概要】
【発明が解決しようとする課題】
【０００６】
上述した問題点を解決するための本発明の目的は、毎使用時ごとに別の光学系の設定過程を行わなくても、常に鮮明な２つの投射型映像をディスプレイできるマルチメディア再生装置を提供することにある。
【０００７】
本発明の他の目的は、各々入力装置用画面と映像出力用画面として使用することができる２つの投射型映像を同時にディスプレイできる２つの投射型画面を提供するマルチメディア再生装置を提供することにある。
【０００８】
本発明の更に他の目的は、小型かつ消費電力が小さいながらも、異なる２つの投射型映像を常に鮮明にディスプレイできるマルチメディア再生装置を提供することにある。
【課題を解決するための手段】
【０００９】
上述した技術的な課題を達成するための本発明の特徴は、２つの投射型映像をディスプレイできるマルチメディア再生装置に関するものであって、前記マルチメディア再生装置は、
第１の投射型映像をディスプレイさせる第１の投射部と、
第２の投射型映像をディスプレイさせる第２の投射部と、を具備し、
前記第１の投射部は、
第１の投射部の動作を制御してディスプレイしようとする第１の投射型映像に対する映像信号を提供する第１の駆動部と、
第１の光源部と、
前記第１の投射型映像に対する映像信号に応じて前記光源部から提供される光を変調して第１の投射型映像に出力する第１の光変調素子と、
前記第１の光変調素子から出力される映像を拡大して投射する第１の投射レンズ部と、を具備し、
前記第２の投射部は、
第２の投射部の動作を制御してディスプレイしようとする第２の投射型映像に対する映像信号を提供する第２の駆動部と、
第２の光源部と、
前記第２の投射型映像に対する映像信号に応じて前記光源部から提供される光を変調して第２の投射型映像に出力する第２の光変調素子と、
前記第２の光変調素子から出力される映像を拡大して投射する第２の投射レンズ部と、を具備する。
【００１０】
上述した特徴を持つマルチメディア再生装置の前記第１及び第２の投射レンズ部は、前記マルチメディア再生装置が設けられた底面から延びる既設定された位置に映像が投射されるように、焦点距離が初期設定され、前記第１及び第２の光変調素子は、ＬＣＤパネル、ＤＭＤ素子、ＧＬＶ素子、ＬＣｏＳのいずれかが選択的に使われることが望ましい。
【００１１】
上述した特徴を持つ前記マルチメディア再生装置は、映像がディスプレイされるべき領域の色相を感知するスクリーン感知部を更に具備し、
前記第１及び第２の駆動部は、前記スクリーン感知部を利用して感知された色相の補色を検出し、前記第１及び第２の光源部の光源のうち前記補色に対応する光源の明るさを増加させたり、
前記第１及び第２の駆動部は、前記スクリーン感知部を利用して感知された色相の補色を検出し、ディスプレイすべき映像データのうち前記補色に対応する映像データを増加させることが望ましい。
【００１２】
本発明の他の特徴は、２つの投射型映像をディスプレイできるマルチメディア再生装置に関するものであって、前記マルチメディア再生装置は、
全動作を制御し、ディスプレイしようとする第１及び第２の映像信号を提供する駆動部と、
単一の光源部と、
前記光源部から提供される光を第１の偏光波及び第２の偏光波に分離して提供する偏光ビーム分離器と、
前記偏光ビーム分離器から提供される第１の偏光波が進行する経路に配置され、前記駆動部から提供される第１の映像信号に応じて前記第１の偏光波を変調して第１の映像を提供する第１の光変調素子と、
前記第１の光変調素子から提供される第１の映像を拡大投射させる第１の投射レンズ部と、
前記偏光ビーム分離器から提供される第２の偏光波が進行する経路に配置され、前記駆動部から提供される第２の映像信号に応じて前記第２の偏光波を変調して第２の映像を提供する第２の光変調素子と、
前記第２の光変調素子から提供される第２の映像を拡大投射する第２の投射レンズ部と、
を具備し、単一の光源部を利用して第１の映像及び第２の映像を同時に提供することによってデュアルモードで動作することができ、前記第１及び第２の投射レンズ部から投射される映像は、既設定された第１及び第２の位置に各々結像される。
【００１３】
上述した特徴を持つ前記マルチメディア再生装置の前記第１及び第２の投射レンズ部は、前記マルチメディア再生装置が設けられた底面から延びる既設定された第１及び第２の位置の各々に第１及び第２の映像が投射されるように焦点距離が初期設定され、前記光源部のランプ部は、赤色Ｒ、青色Ｂ、緑色ＧのＬＥＤからなるＬＥＤアレイからなり、前記第１及び第２の光変調素子は、透過型光変調素子又は反射型光変調素子であることが望ましい。
【発明の効果】
【００１４】
本発明によって、２つの投射型画面を提供するマルチメディア再生装置の全体大きさとは無関係に、一定の大きさ以上の映像をディスプレイできるようになる。
【００１５】
また、本発明に係るマルチメディア再生装置は、垂直又は水平方向に設けられた底面から延びる位置をスクリーンに使用することで、常にマルチメディア再生装置から定められた距離に結像させるようになる。したがって、投射機能を行う光学系を初期に一度設定して焦点を合わせて置くことで、常に鮮明な投射映像を見られるようになり、毎度使用時ごとに光学系を設定する必要がない。
【００１６】
また、本発明に係るマルチメディア再生装置は、単一の光源部を利用して異なる２つの映像を同時に底面に投射させ得るようになる。上述した特徴を持つ本発明に係るマルチメディア再生装置は、消費電力が小さく、小型化を図る携帯用や移動型装置に適用可能である。
【００１７】
また、本発明に係るマルチメディア再生装置は、スクリーンになる底面の色相を感知し、これに対する相補色を強調することで、映像に対する視認性を向上できるようになる。
【図面の簡単な説明】
【００１８】
【図１】本発明の第１の実施形態に係る２つの投射型映像を提供するマルチメディア再生装置の投射機能を行うための構成要素を概略的に示した構成図である。
【図２】本発明の第１の実施形態に係る２つの投射型映像を提供するマルチメディア再生装置の実施形態を例示的に示した使用状態図である。
【図３】本発明の第２の実施形態に係る２つの投射型画面を提供するマルチメディア再生装置の内部構成を概略的に示した構成図である。
【発明を実施するための形態】
【００１９】
第１の実施形態
以下、添付の図面を参照して、本発明の第１の実施形態に係る２つの投射型画面を提供するマルチメディア再生装置の構成及び動作について具体的に説明する。
【００２０】
本明細書での‘マルチメディア再生装置’は、マルチメディアコンテンツ、停止画像又は動映像の再生が可能なあらゆる端末を含む用語として使われ、移動通信端末、個人携帯端末（ＰＤＡ）、携帯用マルチメディアプレーヤー（Ｐｏｒｔａｂｌｅ  Ｍｕｌｔｉｍｅｄｉａ  Ｐｌａｙｅｒ、‘ＰＭＰ’）、携帯用プレーステーション（Ｐｌａｙ  Ｓｔａｔｉｏｎ  Ｐｏｒｔａｂｌｅ、‘ＰＳＰ’）などを含む。
【００２１】
図１は、本発明の第１の実施形態に係るマルチメディア再生装置１０において、２つの投射型画面を提供するための構成のみを概略的に示したブロック図であり、図２は、マルチメディア再生装置１０の動作により所定の映像がディスプレイされる状態を例示的に示した使用状態図である。
【００２２】
図１及び図２を参照すれば、本発明の第１の実施形態に係るマルチメディア再生装置１０は、第１の投射部１２及び第２の投射部１４を具備し、前記第１の投射部１２は、第１の駆動部１０２と、第１の光源部１１２と、第１の光変調素子１２２と、第１の投射レンズ部１３０と、を具備し、前記第２の投射部１４は、第２の駆動部１０４と、第２の光源部１１４と、第２の光変調素子１２４と、第２の投射レンズ部１３４と、を具備する。但し、前記マルチメディア再生装置において、マルチメディアコンテンツを再生するために必ず含まれるべき構成要素らは、当業者らに自明なものであって、本明細書では、これらについての説明は、省略し、本発明の要旨に関連する構成要素らについてのみ説明するようにする。以下、第１の投射部と第２の投射部の構成及び動作は類似しているので、第１の投射部のみを説明するようにする。
【００２３】
前記第１の駆動部１０２は、第１の投射型映像をディスプレイさせるために、第１の投射部１２の動作を各々制御するものであって、前記第１の光源部と第１の光変調素子の動作を制御する。特に、前記第１の駆動部は、所定の第１の投射型映像をディスプレイさせるために、前記第１の投射型映像に該当する映像信号を第１の光変調素子に提供する。
【００２４】
第１の光源部１１２は、ランプ部及びフライアイレンズなどと同じ光均一化光学系等で構成される。前記ランプ部は、ＬＥＤから構成されることが望ましく、前記ランプ部は、赤色Ｒ、緑色Ｇ、青色ＢのＬＥＤモジュールが互いに分離されている青色、緑色、赤色のＬＥＤアレイ（ａｒｒａｙ）からなる３板式から構成され、各ＬＥＤアレイが１８０Ｈｚによって順次駆動されＲ、Ｇ、Ｂ色相の光を順次提供するようになる。一方、本発明の光源部３００のランプ部の他の実施形態は、赤色ＬＥＤと青色ＬＥＤとが一つのモジュール内に順次配置され一つのＬＥＤアレイからなり、緑色ＬＥＤが順次配置され一つのＬＥＤアレイからなる２板式から構成されたり、赤色、緑色、青色のＬＥＤが順次配置され一つのＬＥＤアレイからなる１板式から構成されることもできる。また、本発明の第１の光源部１１２のランプ部は、ＬＥＤアレイだけでなく、ＯＬＥＤ、ＬＤなどから構成されることもでき、点光源又は面光源も使われることができる。
【００２５】
前記第１の光源部は、当業者に自明な技術であるので、本明細書では、これらについての具体的な説明を省略する。
【００２６】
前記第１の光変調素子１２２は、前記第１の駆動部から提供される映像信号に応じて前記第１の光源部から提供される光を変調して所定の映像を出力する。前記第１の光変調素子は、ＬＣＤパネル、ＤＭＤ素子、ＧＬＶ（Ｇｒａｔｉｎｇ  Ｌｉｇｈｔ  Ｖａｌｖｅ）素子、ＬＣｏＳなどのような透過型又は反射型光変調素子が選択的に使われることができる。
【００２７】
前記第１の投射レンズ部１３０は、前記第１の光変調素子１２２から出力される映像を拡大して投射する。
【００２８】
図２に示されるように、本発明の第１の実施形態に係るマルチメディア再生装置の投射レンズ部から投射される映像は、ハウジング部が設けられた底面から延びる既設定された位置（図２の‘ａ’領域）に結像される。したがって、本発明に係るマルチメディア再生装置は、底面をスクリーンとして使用することで、投射レンズ部から常に一定の距離（図２の‘ｄ’）が離隔された位に結像させるようになる。その結果、初期にマルチメディア再生装置の光学系を初期に一度設定して焦点を合わせるようになれば、毎度使用時ごとに別に光学系を設定する必要がなくなって、常に鮮明な映像をディスプレイできるようになる。
【００２９】
図２に示されるように、２つの投射型画面のうち一つは、キーボードのような入力装置に対応する映像をディスプレイさせ、仮想のキーボード及び仮想のマウスのような入力装置機能を行えるようにする。この場合、仮想のキーボード及び仮想のマウス機能を提供するために、マルチメディア再生装置は、ＣＭＯＳカメラ及び赤外線レーザーを更に具備する。ＣＭＯＳカメラを利用してリアルタイムに仮想のキーボードに対する映像をキャプチャーして分析して、指が位置した所をリアルタイムに把握し、赤外線レーザーを利用して、底に当たる指のレーザービームの反射を感知して、底へのタッチの可否を判定できるようにする。このように、ＣＭＯＳカメラと赤外線レーザーとを利用して、仮想キーボード機能を提供する方法を例示的に示したが、その他にも多様な技術が適用され得るはずである。
【００３０】
第２の実施形態
以下、図３を参照して、本発明の第２の実施形態に係る２つの投射型画面を提供するマルチメディア再生装置の構成及び動作を説明する。図３は、本実施形態に係る２つの投射型画面を提供するマルチメディア再生装置の投射機能を行う構成要素のみを概略的に示した内部構成図である。第２の実施形態は、単一の光源部及び偏光ビーム分離器を利用して、２つの投射型画面を提供することを特徴とする。
【００３１】
図３を参照すれば、本実施形態に係るマルチメディア再生装置３０は、単一の光源部３００と、偏光ビーム分離器（Ｐｏｌａｒｉｚａｔｉｏｎ  Ｂｅａｍ  Ｓｐｌｉｔｔｅｒ、‘ＰＢＳ’）３１０と、第１の光変調素子３２０と、第１の投射レンズ部３３０と、第２の光変調素子３４０と、第２の投射レンズ部３５０と、駆動部（図示せず）と、を具備する。
【００３２】
前記駆動部は、マルチメディア再生装置３０の全動作を制御するものであり、前記光源部３００、第１の光変調素子３２０及び第２の光変調素子３４０の動作を制御する。特に、前記駆動部は、異なる２つの映像をディスプレイさせるために、第１の映像に該当する映像信号及び第２の映像に該当する第２の映像信号を第１の光変調素子３２０及び第２の光変調素子３４０に各々提供する。
【００３３】
単一の光源部３００は、上述した第１の実施形態の光源部と同様であるので、重複する説明は、省略する。
【００３４】
前記偏光ビーム分離器（ＰＢＳ）３１０は、前記光源部から提供される光を直交（ｏｒｔｈｏｇｏｎａｌ）する２つの偏光波である第１の偏光波（例えば、Ｐ波）及び第２の偏光波（例えば、Ｓ波）に分離して、第１の偏光波及び第２の偏光波を互いに異なる光経路に沿って提供する。
【００３５】
参考に、光は、波動として解釈され、波動は、一般的に２つの直交する波動成分であるＰ波とＳ波とが合わせられてなり、‘Ｐ波’は、波動の進行方向と媒質の振動方向とが一致する縦波を称するものであり、‘Ｓ波’は、波動の進行方向と媒質の振動方向とが直角である横波を称するものである。本願発明が属する当該技術分野の通常の知識を有する者にとっては、‘Ｐ波’、‘Ｓ波’の用語及びその意味は自明なものであり、本明細書では、これに対するより詳細な説明は、省略する。
【００３６】
前記光源部から提供される光のＰ波は、前記偏光ビーム分離器３１０を通って、光経路が進行方向の垂直方向に追って変更されて進行するようになり、前記光源部から提供される光のＳ波は、前記偏光ビーム分離器３１０を通って、光経路が進行方向と同じ方向に追って続いて進行するようになる。
【００３７】
第１の光変調素子３２０は、前記偏光ビーム分離器から提供される第１の偏光波であるＰ波が進行する経路に配置され、前記駆動部から提供される第１の映像信号に応じて前記第１の偏光波を変調して第１の映像を提供する。前記第１の光変調素子は、透過型光変調素子を使用することができ、前記透過型光変調素子としては、透過型マイクロディスプレイなどがある。
【００３８】
第１の投射レンズ部３３０は、前記第１の光変調素子の正面に配置され、前記第１の光変調素子から提供される第１の映像を拡大投射させるようになる。
【００３９】
第２の光変調素子３４０は、前記偏光ビーム分離器から提供される第２の偏光波であるＳ波が進行する経路に配置され、前記駆動部から提供される第２の映像信号に応じて前記第２の偏光波を変調して第２の映像を提供するようになる。前記第２の光変調素子３４０は、反射型光変調素子を使用することが望ましく、反射型光変調素子としては、ＬＣｏＳ、反射型ＬＣＤ、ＤＭＤ素子などが選択的に使われることができる。
【００４０】
前記第２の光変調素子が反射型ＬＣｏＳ光変調素子である場合、第２の投射レンズ部３５０は、前記第２の光変調素子から反射された光が、ＰＢＳから再反射されて出射される経路上に配置され、前記第２の光変調素子から提供される第２の映像を拡大投射させるようになる。一方、前記第２の光変調素子が反射型ＤＭＤ光変調素子である場合、前記第２の光変調素子の配置角度を調整し、光経路上に第２の投射レンズ部を配置することによって、好みの位置に所定の映像を提供できるようになる。
【００４１】
図３に示されるように、第１の光変調素子を透過型光変調素子から構成し、第２の光変調素子を反射型光変調素子から構成することで、異なる位置に配置されるスクリーン（‘ａ’及び‘ｂ’）に異なる映像を結像させ得るようになる。
【００４２】
本発明の他の実施形態は、第１の光変調素子及び第２の光変調素子の双方を透過型光変調素子から構成したり、双方を反射型光変調素子から構成することもできるはずである。また、第１及び第２の光変調素子から出射した光の経路を、反射ミラーを使用して自由に変換させ、第１の投射型映像と第２の投射型映像とが結像する像の角度を多様に具現できる。
【００４３】
上述した構成を持つ本実施形態に係る２つの投射型画面を提供するマルチメディア再生装置は、単一の光源部を利用して、異なる第１の映像及び第２の映像を異なる位置に同時に提供することによってデュアルモードで動作することができるようになる。特に、上述した構成を持つ本実施形態に係るマルチメディア再生装置の第１の投射レンズ部及び第２の投射レンズ部から投射される映像は、底面から延びる既設定された位置（図３の‘ａ’領域及び‘ｂ’領域）に結像される。
【００４４】
したがって、本発明に係るマルチメディア再生装置は、前記装置が置かれる底面をスクリーンとして使用することで、第１及び第２の投射レンズ部から常に一定の距離が離隔された位置に結像させるようになる。その結果、マルチメディア再生装置の光学系を初期に一度設定して焦点を合わせるようになれば、毎度使用時ごとに別に光学系を設定する必要がなくなって、常に鮮明な映像をディスプレイできるようになる。
【００４５】
本実施形態に係る２つの投射型画面を提供するマルチメディア再生装置は、単一の光源部を利用して、異なる２つの映像を同時に投射させ得るようになることで、小型化を図れるだけでなく、全消費電力も減少させ得るようになる。したがって、本実施形態に係るマルチメディア再生装置は、移動型や携帯用端末に有用に適用され得る。また、本実施形態に係る２つの投射型画面を提供するマルチメディア再生装置は、ハウジング部が設けられた底面をスクリーンとして使用することで、光学系を初期に一度だけ設定することで、常に鮮明な投射映像を見れるようになる。
【００４６】
第３実施形態
以下、本発明の第３実施形態に係る２つの投射型画面を提供するマルチメディア再生装置の構成及び動作を説明する。第３実施形態に係るマルチメディア再生装置は、スクリーンの役割をする底面の色相を感知し、感知された色相に対する相補色を増加させてディスプレイさせることで、より鮮明な２つの投射型映像を提供することを特徴とする。本実施形態に係るマルチメディア再生装置は、第１の実施形態の構成と重複する構成についての説明は、省略する。
【００４７】
本実施形態に係るマルチメディア再生装置は、第１の実施形態のマルチメディア再生装置の構成に加えて、スクリーン感知部を更に具備する。前記スクリーン感知部は、色相を感知するカラーセンサーから構成されたり、ＣＭＯＳカメラから構成されることもできる。マルチメディア再生装置の駆動部は、前記スクリーン感知部を利用してスクリーンとなる底面の色相を感知したり、ＣＭＯＳカメラを利用して底面に対する映像をキャプチャーする。次に、キャプチャーされた映像や感知された色相から底面の色相に対する平均値を計算して平均色を求めた後、平均色に対する補色を決定する。例えば、底面の平均色が青緑色である場合、これに対する補色である赤色を決定するようになる。決定された補色を利用して、Ｒ、Ｇ、Ｂの各光源のうち補色に対応する光源の輝度は増加させ、底色に対応する光源の輝度は減少させる補正をする。このような光源の明るさの補正過程により、映像に対する対比比の特性を向上させ、スクリーンに結像されるイメージの視認性を向上させるようになる。例えば、底の色が青緑色である場合、Ｒ（Ｒｅｄ）光源の明るさを与えられた範囲内で増加させ、Ｇ（Ｇｒｅｅｎ）及びＢ（Ｂｌｕｅ）光源の明るさを与えられた範囲内で減少させるようになる。
【００４８】
一方、本実施形態に係る第１及び第２の駆動部は、対比比を向上させるために、光源の明るさを制御する方法に加えて、ディスプレイされる映像データを補正することもできる。これをより具体的に説明すれば、前記第１及び第２の駆動部は、映像データのうち補色に該当する映像データは増加させ、底色に該当する映像データは減少させて、新規の映像データを生成した後、新規映像データをディスプレイさせる。本実施形態によって、底面にディスプレイされる映像らの視認性を向上させ得るようになる。
【００４９】
以上、本発明に関してその第１の実施形態を中心として述べたが、これは、但し例示に過ぎず、本発明を限定するものではなく、本発明が属する分野の通常の知識を有する者であれば、本発明の本質的な特性を逸脱しない範囲において、以上に例示していない種々の変形と応用が可能であることが分かるはずである。例えば、本発明の実施形態において、光源部のランプ部の構成、光変調素子等は、マルチメディア再生装置の全体性能を向上させるために多様に変形して実施できるものである。そして、このような変形と応用に関連する差異点は、添付の請求範囲で規定する本発明の範囲に含まれるものとして解析されるべきである。
【産業上の利用可能性】
【００５０】
本発明に係る技術は、携帯電話のような移動通信端末やＰＭＰ又はＰＤＡのような携帯用情報端末に広く使われることができる。
【符号の説明】
【００５１】
１２    第１の投射部
１４    第２の投射部
１０２  第１の駆動部
１１２  第１の光源部
１２２  第１の光変調素子
１３０  第１の投射レンズ部
１３４  第２の投射レンズ部
【図１】
2010519570.tif 000003
【図２】
2010519570.tif 000004
【図３】
2010519570.tif 000005
【国際調査報告】
2010519570.tif 000006
2010519570.tif 000007